(57)【要約】【課題】使いやすく携帯性の優れた携帯情報端末を提供する。【解決手段】本体部とフリップ部とを複数の軸周りに回動可能に結合し、多様な形態に変形可能とする。また、変形の形態すなわち本体部及びフリップ部の回転角度に応じて、あらかじめ定められた複数の機能から所定の機能を自動的に選択し実行する。さらに、本体部及びフリップ部にモニター画面を備え、選択し実行する機能に応じてそれらのモニター画面が一の表示領域または独立した表示領域を構成するよう制御する。【選択図】  図１８
2005115536.tif 000002
【特許請求の範囲】
【請求項１】
略矩形状の本体部と、前記本体部と略同一形状のフリップ部と、前記本体部と前記フリップ部とを重ね合せ可能に連結する連結手段であって、前記本体部の隅部と前記フリップ部の隅部とを連結する連結手段と、を有する携帯情報端末において、
前記連結手段は、前記本体部と連結される第一の部材と、前記フリップ部と連結される第二の部材と、該第一の部材及び該第二の部材を折り畳み可能に連結するヒンジ部とを有し、
前記本体部は、前記第一の部材に対して、前記折り畳みの軸と略垂直な第一の軸周りに回動可能に連結され、
前記フリップ部は、前記第二の部材に対して、前記折り畳みの軸と略垂直な第二の軸周りに回動可能に連結され、
前記第一の軸と前記第二の軸とは、前記本体部と前記フリップ部とを重ね合せたときに略平行であることを特徴とする携帯情報端末。
【請求項２】
前記ヒンジ部の折り畳み角度、前記第一の軸周りの回転角度、及び前記第二の軸周りの回転角度を検知する角度検知手段と、
前記検知した前記ヒンジ部材の折り畳み角度、前記第一の軸周りの回転角度、及び前記第二の軸周りの回転角度に応じて、前記本体部及び前記フリップ部にあらかじめ設定された複数の機能のうちから所定の機能を自動的に選択し実行する機能制御手段と、をさらに備えたことを特徴とする請求項１に記載の携帯情報端末。
【請求項３】
前記本体部及び前記フリップ部にモニター画面を備え、
前記選択し実行した機能に応じて、前記本体部に備えられたモニター画面と前記フリップ部に備えられたモニター画面とが一の表示領域または独立した表示領域を構成するよう制御を行う表示制御手段をさらに備えたことを特徴とする請求項２に記載の携帯情報端末。
【請求項４】
前記モニター画面は情報及び命令が入力可能なタッチパネルモニター画面であり、該タッチパネルモニター画面を介して入力された情報及び命令を処理する処理手段をさらに備えることを特徴とする請求項３に記載の携帯情報端末。
【請求項５】
医療情報の蓄積及び管理を行う所定のサーバ装置との間で医療情報の送受信を行う通信手段をさらに備えることを特徴とする請求項１乃至請求項４のいずれかに記載の携帯情報端末。
【発明の詳細な説明】
【技術分野】
【０００１】
本発明は携帯情報端末に係り、特に複数の形態に変形可能な携帯情報端末に関するものである。
【背景技術】
【０００２】
従来の携帯情報端末には、フリップ部を設ける携帯情報端末とフリップ部を設けない携帯情報端末がある。フリップ部を設けない携帯情報端末では、装置本体部に操作ボタン、タッチパネルモニターを設け、操作ボタンをボタン操作し、入力ペンを使用してタッチパネルモニターにペン入力操作を行うことにより、ペン入力端末の機能を実現している。
【０００３】
また、フリップ部を設ける携帯情報端末がある（例えば、特許文献１参照）。特許文献１では、電話機能、テレビ電話機能、デジタルカメラ機能、デジタルビデオカメラ機能を備え、携帯電話、携帯テレビ電話、デジタルカメラ、デジタルビデオカメラ、ペン入力端末の機能を実現し、複数の機能を一台に合わせて備える携帯情報端末が提案されている。
【０００４】
上記特許文献１に記載の携帯情報端末を含め、従来の携帯情報端末は一般に携帯情報端末の装置本体部とほぼ同面積の（またはより小さい面積の）フリップ部を設け、このフリップ部と本体部の両者が貝殻のように自在に開閉するよう可動な軸部を用いて連結する形態が多く採用されている。この場合、携帯情報端末を装置本体部により手で支持するため、装置本体部に操作ボタンを備え、モニターをフリップ部に備える方式が一般的である。
【０００５】
この形態では、フリップ部と本体部の双方に、閉じた場合に外部に触れない内側の面ができ、この内側になる面にモニターや各種の操作ボタン等を配置することができる。これにより、使用しない時には小さく閉じてモニターの損傷や操作ボタンの誤操作を防止するとともに携帯性を確保するようになっている。
【特許文献１】特開２００１−１６９１６６号公報
【発明の開示】
【発明が解決しようとする課題】
【０００６】
上述のような従来の携帯情報端末では、以下に述べるような問題点があった。
【０００７】
第１の問題点として、上述の特許文献１で提案された従来の携帯情報端末では、複数の機能を一台に合わせて備えられるが、２、３の形態にしか変型できず、スタンドビューア機能、ワイド画面ビューア端末、キーボード入力端末等の多くの機能を実現できなかった。
【０００８】
第２の問題点として、フリップ部と本体部の両方にモニターを配置できるにも関わらず、従来の携帯情報端末では、フリップ部、本体部の一方だけにモニターを配置したため、表示できる情報量に制限があり、多くの情報を表示できなかった。また、モニターの代わりに、フリップ部、本体部のどちらか一方にタッチパネルモニターを配置した従来の携帯情報端末では、入力ペンを使用してペン入力操作を行う文字認識エリアやソフトキーボード等の入力エリアを液晶タッチパネルモニターに表示する必要があるため、表示領域が小さくなり、さらに表示できる情報量が制限され、十分な視認性を確保するのは困難であった。
【０００９】
第３の問題点として、テレビ電話機能では、フリップ部だけにしかモニターを配置していないため、フリップ部のモニターに相手の顔を表示すると、自分がどのような顔で写っているのか相手にしか分からない。もしフリップ部のモニターに相手の顔と自分の顔の両方を表示したとしても、表示領域が小さくなり、相手や自分の顔の表情等の細かい部分を表現できなかった。また、複数の相手とテレビ電話機能を使用して通信をする場合、フリップ部のモニターに複数の相手の顔および自分の顔を表示すると、さらに表示領域が小さくなり、複数の相手および自分の顔の表情等の細かい部分を表現できなかった。
【００１０】
第４の問題点として、デジタルカメラ機能、デジタルビデオカメラ機能では、フリップ部のモニター付近の操作ボタンと、開閉軸の操作ダイヤルと、本体部の側面のズームボタンを使用して操作する必要があり、この形態のままタイトル入力作業、静止画像や動画像の編集作業等を行うのは、きわめて操作性が悪く困難である。また、モニターの代わりにタッチパネルモニターを配置したとしても、第２の問題点と同じように、入力ペンを使用してペン入力操作を行う文字認識エリアやソフトキーボード等の入力エリアをタッチパネルモニターに表示する必要があるため、表示領域が小さくなり、さらに表示できる情報量が制限され、十分な視認性を確保するのは困難であった。
【００１１】
第５の問題点として、テレビ電話機能、デジタルカメラ機能、デジタルビデオカメラ機能では、携帯情報端末を片手でホールドするようにしか考えられてなく、両手でホールドするような形態は考えられていなかった。このため、手ブレを起こす不安があった。また、長時間安定した撮影を行うのは困難であった。
【００１２】
本発明は上記事情を鑑みてなされたもので、使いやすく携帯性の優れた携帯情報端末を提供することを目的とする。
【課題を解決するための手段】
【００１３】
上記目的を達成するために、請求項１に係る携帯情報端末は、略矩形状の本体部と、前記本体部と略同一形状のフリップ部と、前記本体部と前記フリップ部とを重ね合せ可能に連結する連結手段であって、前記本体部の隅部と前記フリップ部の隅部とを連結する連結手段と、を有する携帯情報端末において、前記連結手段は、前記本体部と連結される第一の部材と、前記フリップ部と連結される第二の部材と、該第一の部材及び該第二の部材を折り畳み可能に連結するヒンジ部とを有し、前記本体部は、前記第一の部材に対して、前記折り畳みの軸と略垂直な第一の軸周りに回動可能に連結され、前記フリップ部は、前記第二の部材に対して、前記折り畳みの軸と略垂直な第二の軸周りに回動可能に連結され、前記第一の軸と前記第二の軸とは、前記本体部と前記フリップ部とを重ね合せたときに略平行であることを特徴としている。
【００１４】
請求項１に係る携帯情報端末は、本体部とフリップ部とを縦、横に並べて配置可能であり、またＬ字型やねじりを加えた形態に変形することも可能である。すなわち、携帯情報端末が備える機能に応じて使いやすい形態に変形することができ、また使わない場合は本体部とフリップ部とを重ねて閉じればかさばることもない。
【００１５】
このように、請求項１に係る携帯情報端末は使いやすく携帯性が優れている。
【００１６】
請求項２に係る携帯情報端末は、請求項１に記載の携帯情報端末において、前記ヒンジ部の折り畳み角度、前記第一の軸周りの回転角度、及び前記第二の軸周りの回転角度を検知する角度検知手段と、前記検知した前記ヒンジ部材の折り畳み角度、前記第一の軸周りの回転角度、及び前記第二の軸周りの回転角度に応じて、前記本体部及び前記フリップ部にあらかじめ設定された複数の機能のうちから所定の機能を自動的に選択し実行する機能制御手段と、をさらに備えたことを特徴としている。
【００１７】
請求項２に係る携帯情報端末は、折り畳み角度、第一及び第二の軸周りの回転角度、すなわち変形の形態に応じて機能が自動的に選択され実行されるので、機能を切り換える複雑な操作が不要である。
【００１８】
請求項３に係る携帯情報端末は、請求項２に記載の携帯情報端末において、前記本体部及び前記フリップ部にモニター画面を備え、前記選択し実行した機能に応じて、前記本体部に備えられたモニター画面と前記フリップ部に備えられたモニター画面とが一の表示領域または独立した表示領域を構成するよう制御を行う表示制御手段をさらに備えたことを特徴としている。
【００１９】
請求項３に係る携帯情報端末は、本体部及びフリップ部のモニター画面を一つの大きな表示領域として使うこともでき、独立した二つの表示領域として使う事もできる。すなわち、機能に応じて、それぞれのモニターに異なる情報を表示したり一つの大画面モニターとして使用したりすることが可能であり、視認性や操作性が優れている。
【００２０】
請求項４に係る携帯情報端末は、請求項３に記載の携帯情報端末において、前記モニター画面は情報及び命令が入力可能なタッチパネルモニター画面であり、該タッチパネルモニター画面を介して入力された情報及び命令を処理する処理手段をさらに備えることを特徴としている。
【００２１】
請求項４に係る携帯情報端末は、タッチパネルモニターを表示と入力との両方に使用できるため、多様な機能に対応できるとともに構成を簡略化、小型化できる。
【００２２】
なお、タッチパネルモニターは、キーボード、テンキー、手書き入力等の機能を切り替えて使用したり、サムネイル画像を表示させその中でユーザが選択した画像を大きく表示したりすることが可能である。
【００２３】
請求項５に係る携帯情報端末は、請求項１乃至請求項４のいずれかに記載の携帯情報端末において、医療情報の蓄積及び管理を行う所定のサーバ装置との間で医療情報の送受信を行う通信手段をさらに備えることを特徴としている。
【００２４】
請求項５に係る携帯情報端末では、医療情報システム等との連携により画像や医療情報等の入出力や参照、利用が可能であり、医療従事者が使いやすく携帯性の優れた携帯端末として利用することができる。
【発明の効果】
【００２５】
本発明に係る携帯情報端末は、使いやすく携帯性が優れている。
【発明を実施するための最良の形態】
【００２６】
以下、添付図面に従って、本発明に係る携帯情報端末の好ましい実施の形態について詳説する。
【実施例１】
【００２７】
図１から図１３は、本実施の形態に係る携帯情報端末１００を様々な方向から見た図である。これらの図に示すように、携帯情報端末１００は、本体部１０とフリップ部２０とが軸部３０を介し可動に連結されている。
【００２８】
軸部３０は、図６から図７に示すように、開閉軸３１と本体部１０の回転軸３２とフリップ部２０の回転軸３３を備える。開閉軸３１は本体部１０とフリップ部２０とが相対回転可能となるように、また、本体部１０の回転軸３２は本体部１０に対して垂直方向に回転可能となるように、また、フリップ部２０の回転軸３３はフリップ部２０に対して垂直方向に回転可能になるように連結するものである。回転軸３２と回転軸３３とは、本体部１０とフリップ部２０とを閉じたとき、また１８０°開いたときに平行になるように構成されている。
【００２９】
図１４は、軸部３０の構成を説明する分解図を示している。軸部３０は、開閉軸３１の心棒３４と、開閉軸３１の開閉軸カバー３５と、心棒３４と開閉軸カバー３５との間にあり本体部１０とフリップ部２０の間で信号を送受信するための接続フイルム３６と、本体部１０の接点３７と、本体部１０の回転軸３２と、接続フイルム３６と本体部１０の接点３７とを接続する接続ケーブル３８と、フリップ部２０の接点３９と、フリップ部２０の回転軸３３と、接続フイルム３６とフリップ部２０の接点３９とを接続する接続ケーブル４０とから構成される。
【００３０】
なお、本体部１０とフリップ部２０とを閉じた状態、及び本体部１０とフリップ部２０とを１８０°開いた状態において、回転軸３２と回転軸３３とは平行になるよう構成されている。
【００３１】
軸部３０は、上記のように構成されることにより、本体部１０とフリップ部２０の間で信号を送受信することが可能となる。なお、上記軸部３０の構成は、軸部３０の一実施例であり、本体部１０とフリップ部２０とを有線ケーブルを介して接続し、本体部１０とフリップ部２０との間で信号を送受信するようにしてもよい。また、本体部１０及びフリップ部２０に無線モジュールを備え、本体部１０とフリップ部２０との間で信号を送受信するようにしてもよい。
【００３２】
フリップ部２０は、図１から図１３に示すように内側に第１タッチパネルモニター２１、画面操作用の決定・キャンセルボタン２２、テレビ電話機能で使用する第２撮影用レンズ２３、スピーカホン２４を備える。また、外側にデジタルカメラ、デジタルビデオカメラ機能で使用する第１撮影用レンズ２５、撮影用のシャッターボタン２６を備える。
【００３３】
さらに、フリップ部２０は、軸部３０と第１タッチパネルモニター２１との間に回転軸６３を備える。
【００３４】
本体部１０は、図１から図１３に示すように、内側に電源のオン・オフボタン１１、第２タッチパネルモニター１２、画面操作用のカーソルボタン１３、マイクロホン１４を備える。
【００３５】
また、外側に電話機能、テレビ電話機能で使用する応答ボタン１５を備える。また、側面には取り外しの可能な記憶媒体のユニットである半導体メモリや磁気メモリ等メモリカードを挿入できるデータ入出力用メモリカードアダプター１６、音声入出力用端子１７を、他の側面にはデータ入出力兼充電用端子１８を備える。
【００３６】
また、カーソルボタン１３の中央部には、ファンクションボタン１９を備える。ファンクションボタン１９は、カーソルボタン１３で選択した内容を決定する場合等に用いる。また、本体部１０には、ペン入力時に使用する入力用ペン６１を格納する入力用ペン格納部６２を備える。
【００３７】
携帯情報端末１００は、開閉軸３１、回転軸３２、回転軸３３、及び回転軸６３により、本体部１０とフリップ部２０とを様々な形態に変形することができる（後述）。
【００３８】
図１５は、本実施の形態の携帯情報端末の内部構造を示すブロック図である。図１５に示すように、携帯情報端末１００は、制御部４１により内部の他の装置が制御される。また、携帯情報端末１００は、第１撮影用レンズ２５、第２撮影用レンズ２３、第１タッチパネルモニター２１、第２タッチパネルモニター１２、マイクロホン１４、スピーカホン２４、ユーザが各種動作を行うための操作部４２、無線通信回線等により音声やデータ、画像データ等の通信を行う通信部４３、第１撮影用レンズ２５、第２撮影用レンズ２３を使用して撮影したデータや操作部４２を操作しユーザが入力したデータ、通信部４３の通信により得られたデータを記録する記録部４４を備える。
【００３９】
さらに、携帯情報端末１００は、軸部３０の状態を調べ本体部１０とフリップ部２０の成す方向、すなわち開閉軸３１、回転軸３２、及び回転軸３３の回転角度を検知する軸部状態センサ４５を備える。軸部状態センサ４５は、回転軸６３の回転角度もまた検知する。
【００４０】
携帯情報端末１００は以下に示す機能を備えており、本体部１０及びフリップ部２０を変形すると、軸部状態センサ４５が開閉軸３１、回転軸３２、回転軸３３、及び回転軸６３の回転角度を検知して、制御部４１が変形の形態に対応した機能を自動的に起動または起動可能な状態にする。
（１）電話機能
（２）スタンドビューア機能
（３）テレビ電話機能
（４）デジタルカメラ機能
（５）デジタルビデオカメラ機能
（６）ペン入力端末機能
（７）ワイド画面ビューア端末機能
（８）キーボード入力端末機能
また、携帯情報端末１００では、制御部４１が上記各機能に応じて第１タッチパネルモニター２１と第２タッチパネルモニター１２とが一つの表示領域あるいは二つの独立した表示領域となるよう表示制御を行う。例えば、テレビ電話機能においてユーザの顔と相手の顔とをそれぞれのモニターに表示したり、ワイド画面ビューア端末機能において二つのモニターを一つの大画面モニターとして多くの情報を表示したり画像を大きく表示したりすることができる（後述）。
【００４１】
図２から図５は、携帯情報端末１００の未使用時における折畳んだ状態を示した図である。この状態では、図２から図５に示すように本体部１０とフリップ部２０とは軸部３０の開閉軸３１を中心に折畳まれている。
【００４２】
このように、フリップ部２０の第１タッチパネルモニター２１、決定・キャンセルボタン２２、本体部１０の電源のオン・オフボタン１１、第２タッチパネルモニター１２、カーソルボタン１３等が内側に閉じられるため、外部との接触が無く、第１タッチパネルモニター２１、第２タッチパネルモニター１２の損傷や決定・キャンセルボタン２２、カーソルボタン１３等の誤動作が防止され携帯性に優れる。
【００４３】
次に、携帯情報端末１００について、それぞれの機能に適した本体部１０とフリップ部２０の向きと共に図面を参照して詳細に説明する。
【００４４】
電話機能を使用する場合には、図１に示すように、本体部１０とフリップ部２０とが軸部３０の開閉軸３１を中心に９０〜１８０度になる位置まで相対回転し電話形態に変型させる。
【００４５】
操作方法は、本体部１０の第２タッチパネルモニター１２に表示された通常の携帯電話と同様のテンキーや、ソフトキーボード等の入力エリアおよび予め記録した通話相手のリストから通話相手を選択して電話をかける。会話はマイクロホン１４、スピーカホン２４を通して行われる。電話を受ける場合は、本体部１０の背面にある応答ボタン１５を押して応答する。また、音声入出力端子１７にマイクやヘッドホンを接続して使用することも可能である。
【００４６】
テレビ電話機能を使用する場合には、図６に示すように、まず本体部１０とフリップ部２０とが軸部３０の開閉軸３１を中心に１８０度になる位置まで相対回転させ、次にフリップ部２０の回転軸３３、本体部１０の回転軸３２のどちらか一方を垂直方向に９０度回転させカメラ形態に変型させる。
【００４７】
操作方法は、上記電話機能と同様に、本体部１０の第２タッチパネルモニター１２に表示された通常の携帯電話と同様のテンキー、ソフトキーボード等の入力エリアおよび予め記録した通話相手のリストから通話相手を選択して電話をかける。電話を受ける場合は、本体部１０の背面にある応答ボタン１５を押して応答する。通信は通信部４３により行われ、会話はマイクロホン１４、スピーカホン２４を通して行われる。
【００４８】
使用中、カーソルボタン１３および決定・キャンセルボタン２２を操作し、フリップ部２０の第１タッチパネルモニター２１と本体部１０の第２タッチパネルモニター１２とのいずれか、あるいは両方に表示する画面を様々に切替ることが可能である。
【００４９】
ここでフリップ部２０の第１タッチパネルモニター２１と本体部１０の第２タッチパネルモニター１２に表示する画面は、テレビ電話の通話により送信される通話相手の画像のみに限られず、ユーザの側から通話先に送信する画像である第２撮影用レンズ２３に撮影されるユーザ自身の顔の画像や、第１撮影用レンズ２５に撮影されるユーザの前の風景等を画像として表示してもよく、さらに上記の画像を同時に表示する形態も可能である。
【００５０】
つまり、通話相手の画像とユーザ自身の顔の画像とユーザの目の前の画像の３種類の画像を様々に切替え、組合せて表示可能である。
【００５１】
こうした画像の表示形態として、第１にこれらの画像のうち一つを第１タッチパネルモニター２１の全面に表示するもの、第２にこれらの画像のうち一つを第２タッチパネルモニター１２の全面に表示するもの、第３にこれらの画像のうち二つを半分ずつ第１タッチパネルモニター２１の全面に表示するもの、第４にこれらの画像のうち二つを半分ずつ第２タッチパネルモニター１２の全面に表示するもの、第５にこれら三つの画像を三等分して第１タッチパネルモニター２１の全面に表示するもの、第６に三つの画像を三等分して第２タッチパネルモニター１２の全面に表示するものを組合せて表示することが可能である。
【００５２】
また、図７から図１０に示すように、まず本体部１０とフリップ部２０とが軸部３０の開閉軸３１を中心に１８０度になる位置まで相対回転させ、次にフリップ部２０の回転軸３３、本体部１０の回転軸３２の両方を垂直方向に９０度回転させビューア形態に変型させ、第１タッチパネルモニター２１と第２タッチパネルモニター１２を横に組合せて配置することで、第７の表示形態として、これら三つの画像のうち一つを第１タッチパネルモニター２１と第２タッチパネルモニター１２の全面にまたがって表示するものが可能である。
【００５３】
また、第８の表示形態として、上記７つの表示形態の表示画面上に他の画像のうち一つまたは二つを小さく子画面として表示するものを組合せて表示することが可能である。
【００５４】
この第８の表示形態における子画面の表示位置は、あらかじめ設定された位置に表示する形態や、入力用ペン６１により第１タッチパネルモニター２１および第２タッチパネルモニター１２に表示位置や大きさを指定し、また表示後も任意の位置と大きさに変更できる形態や、予め設定されている複数の表示位置の設定の中からカーソルボタン１３および決定・キャンセルボタン２２を操作し、表示一を変更する形態が可能である。
【００５５】
上記８つの表示形態を組合せて表示するとともに、通話相手に連絡したい場合に、撮影している画像に入力用ペン６１を使用して文字や図形を描込み説明することも可能である。
【００５６】
また、テレビ電話機能において、通話相手の使用する携帯情報端末が、本実施の形態に係る携帯情報端末１００と同じように第１及び第２の撮影用レンズを備える場合、通話相手の顔の画像とユーザ自身の顔の画像とユーザの目の前の画像の３種類の画像に通話相手の目の前の画像が加わり、４種類の画像を扱うことが必要になる場合がある。この場合も、上記方法と同じように画像を様々に切替え、組合せて表示してよい。
【００５７】
上記、テレビ電話機能において、通話相手との通話内容を録画したい場合、カーソルボタン１３および決定・キャンセルボタン２２、または撮影用のシャッターボタン２６を操作することで、第１タッチパネルモニター２１および第２タッチパネルモニター１２に表示された画像に通話相手の音声およびマイクロホン１４から入力されるユーザの音声、周囲の音等を付加した動画像が電子データに変換されて記録部４４に記録される。
【００５８】
ここで、記録部４４は、内蔵する半導体メモリに画像の電子データを記憶し、いつでも呼び出して第１タッチパネルモニター２１や第２タッチパネルモニター１２、スピーカホン２４に再生することができる。蓄積したデータをパソコン等の外部情報処理端末に転送する場合、図１に示すデータ入出力兼充電用端子１８に接続ケーブルを挿入する。接続ケーブルの他方の端は情報処理端末に接続され、データの入出力が可能となる。また、データ入出力兼充電用端子１８に接続ケーブルを挿入し通信を行う形態以外にも、無線、赤外線通信等により通信を行う形態等が可能である。
【００５９】
また、データ入出力用メモリカードアダプター１６に取り外し可能な記憶媒体のユニットである半導体メモリや磁気メモリ等のメモリカードを挿入することで、記録部４４に記録したデータをデータ入出力用メモリカードへ転送することが可能となる。
【００６０】
録画中あるいは録画後に画像のタイトル等を入力する場合、第１タッチパネルモニター２１と第２タッチパネルモニター１２のどちらか一方に文字認識枠、ソフトキーボード等の入力エリアを表示し、入力用ペン６１を使用して録画後の画像のタイトルを入力することができる。
【００６１】
以上のように、携帯情報端末１００は、第２撮影用レンズ２３に撮影されるユーザ自身の顔の画像に限らず、第１撮影用レンズ２５に撮影されるユーザの前の風景等の画像を容易に切り替えて送信することができるため、通話相手に連絡するのにとても便利であり、携帯情報端末の携帯性をよく生かすものである。
【００６２】
また、携帯情報端末１００は、複数のモニターおよび複数の回転軸を備え、モニターを縦、横等任意の位置に組合せて配置することで大画面の表示領域を確保でき、相手や自分の顔の表情等の細かい部分を表現できる。さらに、複数の相手とテレビ電話機能を使用して通信をする場合も、複数のモニターを縦、横に組合せて配置することで大画面の表示領域を確保できるため、フリップ部のモニターだけに複数の相手の顔および自分の顔を表示するのと比較して、複数の相手および自分の表情の細かい部分等を表現できる。
【００６３】
また、上述の形態では、ユーザの目の前の風景の画像を送信しているが、単に自分の顔の画像のみを送信する形態も可能である。この場合には、本体部１０とフリップ部２０とが軸部３０の開閉軸３１を中心に９０〜１８０度になる位置まで相対回転し電話形態に変型させるのみでもよく、フリップ部２０の回転軸３３、本体部１０の回転軸３２のどちらか一方を垂直方向に９０度回転させカメラ形態に変型させる必要は無い。
【００６４】
次に、携帯情報端末１００のデジタルビデオカメラ機能を使用する場合について説明する。この場合、図６に示される上述のテレビ電話機能と同様にカメラ形態に変型させて使用することが好ましい。
【００６５】
上記テレビ電話機能での録画方法と同様に、カーソルボタン１３および決定・キャンセルボタン２２、または撮影用のシャッターボタン２６を操作することで、第１撮影用レンズ２５および第２撮影用レンズ２３に撮影される動画像にマイクロホン１４から入力されるユーザの音声、周囲の音等を付加した動画像が電子データに変換されて記録部４４に記録される。
【００６６】
次に、携帯情報端末１００のデジタルカメラ機能を使用する場合について説明する。この場合も、デジタルビデオカメラ機能を使用する場合と同様に、図６に示されるようなテレビ電話機能と同様にカメラ形態に変型させて使用することが好ましい。
【００６７】
上記テレビ電話機能、デジタルビデオカメラ機能での録画方法と同様に、カーソルボタン１３および決定・キャンセルボタン２２、または撮影用のシャッターボタン２６を操作することで、第１撮影用レンズ２５および第２撮影用レンズ２３に撮影される画像が電子データに変換されて記録部４４に記録される。
【００６８】
テレビ電話機能と同様に、デジタルビデオカメラ機能、デジタルカメラ機能では、記録部４４は、内蔵する半導体メモリに画像の電子データを記憶し、いつでも呼び出して第１タッチパネルモニター２１と第２タッチパネルモニター１２に再生することができる。
【００６９】
蓄積したデータをパソコン等の外部情報処理端末に転送する場合、図１に示すデータ入出力兼充電用端子１８に接続ケーブルを挿入する。接続ケーブルの他方の端は情報処理端末に接続され、データの入出力が可能となる。また、データ入出力用メモリカードアダプター１６にデータ入出力用メモリカードを挿入することで、記録部４４に記録したデータをデータ入出力用メモリカードへ転送することが可能となる。
【００７０】
ここでフリップ部２０の第１タッチパネルモニター２１と本体部１０の第２タッチパネルモニター１２に表示する画面は、テレビ電話機能と同様に、第２撮影用レンズ２３に撮影されるユーザ自身の顔の画像や、第１撮影用レンズ２５に撮影されるユーザの前の風景を表示してもよく、さらに上記の画像を同時に表示する形態も可能である。
【００７１】
また、テレビ電話機能と同様に画像の録画中あるいは録画後に動画像のタイトル等を入力する場合は、第１タッチパネルモニター２１と第２タッチパネルモニター１２のどちらか一方に文字認識枠、ソフトキーボード等の入力エリアを表示し、入力用ペン６１を使用して録画後の画像のタイトルを入力することができる。また、後から再生する場合のメモとして、入力用ペン６１を使用して文字や図形を描込むこともできる。
【００７２】
以上説明したように、携帯情報端末１００では、テレビ電話機能、デジタルカメラ機能、デジタルビデオカメラ機能において、電話形態からカメラ形態に変型させることで、タイトル入力作業等を操作性良く行うことができる。また、複数のタッチパネルモニターを縦、横に組合せて配置することで、入力ペンを使用してペン入力操作を行う文字認識エリアやソフトキーボード等の入力エリアを表示しても表示領域を十分に確保できるため、表示できる情報量が多くなり、十分な視認性を確保できる。
【００７３】
また、携帯情報端末１００は、図７から図１０に示すように、まず本体部１０とフリップ部２０とが軸部３０の開閉軸３１を中心に１８０度になる位置まで相対回転させ、次にフリップ部２０の回転軸３３、本体部１０の回転軸３２の両方を垂直方向に９０度回転させビューア形態に変型させ、第１タッチパネルモニター２１と第２タッチパネルモニター１２を横に組合せて配置することで、両手でホールドでき、手ブレを起こしにくい。また、両手でホールドすることで、長時間の安定した撮影が可能である。
【００７４】
次に、携帯情報端末１００のワイド画面ビューア端末機能を使用する場合について説明する。この場合、図７から図１０に示すように、本体部１０とフリップ部２０とが軸部３０の開閉軸３１を中心に１８０度になる位置まで相対回転させ、次にフリップ部２０の回転軸３３、本体部１０の回転軸３２の両方を垂直方向に９０度回転させビューア形態に変型させて使用することが好ましい。
【００７５】
このビューア形態では、テレビ電話機能、デジタルビデオカメラ機能、デジタルカメラ機能と同様に、カーソルボタン１３及び決定・キャンセルボタン２２を操作できる。また、第１タッチパネルモニター２１と第２タッチパネルモニター１２に対して入力用ペン６１を使用して各種データや命令の入力を行うことができ、さらに第１タッチパネルモニター２１及び第２タッチパネルモニター１２に種々の情報や画像を表示することができる。
【００７６】
また、画像を表示する場合、本体部１０の第２タッチパネルモニター１２に複数のサムネイル画像を配置して表示し、第２タッチパネルモニター１２に表示されたサムネイル画像から任意の画像を入力用ペン６１およびカーソルボタン１３および決定・キャンセルボタン２２を操作し選択することで、フリップ部２０の第１タッチパネルモニター２１の一面に選択したサムネイル画像を拡大して表示してもよい。
【００７７】
また、情報や画像の表示は、第１タッチパネルモニター２１と第２タッチパネルモニター１２に別々のものを表示してもよいし、二つのモニターを大画面の一つのモニターとして多くの情報を表示したり画像を大きく表示したりしてもよい。
【００７８】
このように、ワイド画面ビューア端末機能では、複数のモニターおよび複数の回転軸を備え、モニターを縦、横等任意の位置に組合せて配置することで、大画面の表示領域を確保し、視認性良く表示できる。
【００７９】
次に、携帯情報端末１００のキーボード入力端末機能を使用する場合について説明する。この場合、図１１に示すように、本体部１０とフリップ部２０とが軸部３０の開閉軸３１を中心に１８０度になる位置まで相対回転させて、次にフリップ部２０の回転軸３３、本体部１０の回転軸３２の両方を垂直方向に９０度回転させビューア形態に変型後、本体部１０とフリップ部２０とを軸部３０の開閉軸３１を中心に９０〜１８０度になる位置まで相対回転させノートパソコン形態に変型させて使用することが好ましい。
【００８０】
このノートパソコン形態では、テレビ電話機能、デジタルビデオカメラ機能、デジタルカメラ機能と同様に、カーソルボタン１３や決定・キャンセルボタン２２を操作できる。
【００８１】
また、本体部１０の第２タッチパネルモニター１２に数字やアルファベット、記号等を入力できるソフトキーボード等の入力エリアを表示することで、ユーザはノートパソコン等のコンピュータ機器でキーボード入力を行うのと同様にして入力を行うことが可能となる。
【００８２】
なお、数字やアルファベット、記号等の入力は、図１８に示すように操作キー６５’により行うようにしてもよい。操作キー６５’は上述のようなソフトウェアボタンやソフトウェアキーボードではなく、通常の物理的なボタンあるいはキーボードとして構成される。また、操作キー６５’は本体部１０に対してスライドさせることが可能であり、使うときに本体部１０から引き出し、使わないときには本体部１０に収納しておくことができる。
【００８３】
このような操作キー６５’を備えることで、携帯端末１００は多くの機能を備えるとともに優れた携帯性を有し、さらに誤動作が防止される。また、このようにすることで、第１タッチパネルモニタ２１や第２タッチパネルモニタ１２をタッチパネル機能なしのモニタに変更した場合でも操作性を損なうことがない。
【００８４】
次に、携帯情報端末１００のスタンドビューア機能を使用する場合について説明する。携帯情報端末１００は、図１２に示すように、フリップ部２０の軸部３０と第１タッチパネルモニター２１との間に回転軸６３を備える。ユーザは、本体部１０とフリップ部２０とが軸部３０の開閉軸３１を中心に３０〜９０度になる位置まで相対回転させ、次にフリップ部２０の軸部３０と第１タッチパネルモニター２１との間に備える回転軸６３を１８０度になる位置まで回転させ、スタンド形態に変型させる。
【００８５】
これにより、フリップ部２０の第１タッチパネルモニター２１に対し、記録部４４およびデータ入出力用メモリカードアダプター１６に挿入されたデータ入出力用メモリカードにあらかじめ記録された静止画像や動画像、スケジュール、カレンダー等の予定、現在の日付および曜日、時間、無線通信回線等の通信電波の受信強度状態、無線通信回線を使用したメール機能等待ち受け画面等を表示する。
【００８６】
次に、携帯情報端末１００のペン入力端末機能を使用する場合について説明する。この場合、図１３に示すように本体部１０の内側の面とフリップ部２０の外側の面を接触させて閉じた形態により使用する。これは、図３に示される通常の閉じた状態から、本体部１０とフリップ部２０とが軸部３０の開閉軸３１を中心に任意の位置まで開き、フリップ部２０のみを回転軸６３を中心に横方向に１８０度回転させて、再び開閉軸３１を中心に本体部１０とフリップ部２０とを合わせることによって、図１３のペン入力端末形態に変型させる。
【００８７】
これにより、フリップ部２０の第１タッチパネルモニター２１に対し、入力用ペン６１を使用して各種データや命令の入力を行うことができる。
【００８８】
また、本体部１０の外側の面とフリップ部２０の外側の面を接触させて閉じた形態により使用しても良い。これは、同じく図３に示す状態から、軸部３０の開閉軸３１を中心に３６０度開いて本体部１０とフリップ部２０の外側の面同士を合わせる。
【００８９】
なお、図１６に示すように、本体部１０の軸部３０と第２タッチパネルモニター１２との間に回転軸６４を備え、さらに本体部１０の背面（第２タッチパネルモニター１２と反対側の面）に電話番号等を入力することのできる操作キー６５、マイクロホン１４を備えるようにしてもよい。これにより、電話機能及びテレビ電話機能、デジタルビデオカメラ機能、デジタルカメラ機能として使用する場合、回転軸６４を１８０度になる位置まで回転させることで、第２タッチパネルモニター１２の代わりにタッチパネル無しのモニターを備えた場合でも操作性を損なうことなく操作することができる。
【００９０】
また、上記図１７に示すように、フリップ部２０の背面（第１タッチパネルモニター２１と反対側の面）に数字やアルファベット、記号等を入力できるキーボード６６を備えるようにしてもよい。これにより、キーボード入力端末として使用する場合に、ノートパソコン形態から回転軸６３を１８０度になる位置まで回転させることで、第１タッチパネルモニター２１の代わりにタッチパネル無しのモニターを備えた場合でも操作性を損なうことなく操作することができる。
【００９１】
なお、数字やアルファベット、記号等の入力は、図１８に示す操作キー６５’のようなスライド式の操作キーにより行うようにしてもよい。
【００９２】
また、上記図１６および図１７の場合に、第１タッチパネルモニター２１および第２タッチパネルモニター１２に対するカバーを備えることで、モニターの損傷を防止できる。
【００９３】
以上説明したように、本実施の形態に係る携帯情報端末１００では、複数のモニターを縦、横に組合せて配置することで大画面の表示領域を確保でき、電話形態、スタンド形態、カメラ形態、ペン入力端末形態、ビューア形態、ノートパソコン形態等に変型することにより電話機能、テレビ電話機能、デジタルカメラ機能、デジタルビデオカメラ機能、ペン入力端末機能だけで無く、スタンドビューア機能、ワイド画面ビューア端末機能、キーボード入力端末機能等の多くの機能を持ち、かつ携帯性を損なうことがない。
【００９４】
次に、携帯情報端末１００の各機能の起動について説明する。携帯情報端末１００では、軸部３０の開閉軸３１と本体部１０の回転軸３２、フリップ部の回転軸３３、フリップ部２０の軸部３０と第１タッチパネルモニター２１との間にある回転軸６３の角度を軸部状態センサ４５により検出し、その検出結果に応じた機能を自動的に起動させまたは起動可能な状態にする。
【００９５】
図１９は携帯情報端末１００の各機能起動の制御を説明するためのフローチャートである。図１９に示すように、軸部状態センサ４５は、まず軸部３０の開閉軸３１と本体部１０の回転軸３２、フリップ部２０の回転軸３３、フリップ部２０の軸部３０と第１タッチパネルモニター２１との間にある回転軸６３の角度を検出する（ステップ１４０１）。
【００９６】
ここで、開閉軸３１が閉じており（ステップ１４０２）、さらにフリップ部２０の軸部３０と第１タッチパネルモニター２１との間にある回転軸６３に回転が無い（つまりフリップ部２０が正面方向を向く）場合には（ステップ１４０３）、現在本体部１０とフリップ部２０は内側同士が閉じられており未使用の状態であることを検出する（ステップ１４０４）。この場合、未使用であるため、必要ならば自動的に電源を切る等の処理を実行する。
【００９７】
ここで、開閉軸３１が閉じており（ステップ１４０２）、さらにフリップ部２０の軸部３０と第１タッチパネルモニター２１との間にある回転軸６３の向きが１８０度回転している（つまりフリップ部が逆方向を向く）場合には（ステップ１４０３）、現在本体部１０の内側とフリップ部２０の外側が閉じられているため、ペン入力端末形態に変型しており、ペン入力端末の機能を使用する状態であることを認識する（ステップ１４０５）。
【００９８】
開閉軸３１が開いており（ステップ１４０２）、開閉軸３１の角度が３０度以上９０度未満で（ステップ１４０６）、フリップ部２０の軸部３０と第１タッチパネルモニター２１との間にある回転軸６３の向きが１８０度回転している（つまりフリップ部が逆方向を向く）場合には（ステップ１４０７）、スタンド形態に変型しており、スタンドビューア機能を使用する状態であることを認識する（ステップ１４０８）。
【００９９】
開閉軸が開いており（ステップ１４０２）、開閉軸３１の角度が９０度以上１８０度未満で（ステップ１４０９）、軸部３０の本体部１０の回転軸３２とフリップ部２０の回転軸３３の向きが共に０度（回転していない）場合には（ステップ１４１０）、電話形態に変型しており、電話機能を使用する状態であることを認識する（ステップ１４１１）。
【０１００】
開閉軸が開いており（ステップ１４０２）、開閉軸３１の角度が９０度以上１８０度未満で（ステップ１４０９）、軸部３０の本体部１０の回転軸３２とフリップ部２０の回転軸３３の向きが共に９０度の場合には（ステップ１４１２）、ノートパソコン形態に変型しており、キーボード入力端末を使用する状態であることを認識する（ステップ１４１３）。
【０１０１】
開閉軸が開いており（ステップ１４０２）、開閉軸３１の角度が１８０度で（ステップ１４１４）、軸部３０の本体部１０の回転軸３２とフリップ部２０の回転軸３３のどちらか一方の向きが９０度の場合には（ステップ１４１５）、カメラ形態に変型しており、テレビ電話機能およびデジタルビデオカメラ機能、デジタルカメラ機能を使用する状態であることを認識する（ステップ１４１６）。
【０１０２】
開閉軸が開いており（ステップ１４０２）、開閉軸３１の角度が１８０度で（ステップ１４１４）、軸部３０の本体部１０の回転軸３２とフリップ部２０の回転軸３３の向きが共に９０度の場合には（ステップ１４１７）、ビューア形態に変型しており、ワイド画面のビューア端末を使用する状態であることを認識する（ステップ１４１８）。
【０１０３】
ここで、ステップ１４０５、１４０８、１４１１、１４１３、１４１６、１４１８等において、現在使用する機能が認識された場合に、まだ当該機能が起動していない場合等の、必要な場合には当該機能を起動、または起動可能な状態にする。また、他の機能が現在起動中の場合には、単にここで認識された機能を起動するのみでなく、起動中の機能を終了させ新たにここで認識された機能を起動させる切替え処理を行うものとしてもよい。
【０１０４】
以上説明したように、携帯情報端末１００では、軸部３０の開閉軸３１と本体部１０の回転軸３２、フリップ部の回転軸３３、フリップ部２０の軸部３０と第１タッチパネルモニター２１との間にある回転軸６３の角度を軸部状態センサ４５により検出し、その検出結果に応じた機能を自動的に起動させまたは起動可能な状態にすることにより、容易に各種の機能を起動させあるいは切り替えることができる。
【０１０５】
なお、本実施形態では、携帯情報端末１００が電話機能、スタンドビューア機能、テレビ電話機能、デジタルカメラ機能、デジタルビデオカメラ機能、ペン入力端末機能、ワイド画面ビューア端末機能、キーボード入力端末機能を備える形態について説明しているが、本発明に係る携帯情報端末では、これらの機能全てではなく、一部の機能を備える形態も可能である。
【０１０６】
また、上述の機能以外にも、携帯電話、携帯情報端末（ＰＤＡ）、ゲーム機、電子書籍、ラジオやテレビの電波の受信機能や、ポケットベルの機能、カーナビ等のナビゲーションシステム等の機能をさらに備える形態も同様に可能である。
【０１０７】
これらの機能をさらに備える場合でも、本実施形態で説明したものと共通する装置や機能は多く、効率的に機能を付加することができる。
【実施例２】
【０１０８】
図２０に、本実施の形態に係る看護情報システム２００の構成を示す。看護情報システム２００は医療情報の蓄積及び管理を行う看護情報サーバ２１０、電子カルテのデータの蓄積及び管理を行う電子カルテサーバ２２０を含んで構成されている。看護情報サーバ２１０には患者の診察、診療結果や医用画像、薬品データ等の医療情報が蓄積されており、またアクセスポイント２３０及びクレードル２４０が接続されている。なお、看護情報システム２００は、病院情報システム（ＨＩＳ）や放射線科情報システム（ＲＩＳ）等と接続するようにしてもよい。
【０１０９】
本実施の形態に係る携帯情報端末１００’の基本的な構成は実施例１に示す携帯情報端末１００と同様であり、無線通信により、またアクセスポイント２３０やクレードル２４０を介して看護情報サーバ２１０と通信可能であり、さらに看護情報サーバ２１０を介して電子カルテサーバ２２０にアクセスできるようになっている。
【０１１０】
なお、看護情報システム２００は複数の携帯情報端末１００’を備え、看護情報サーバ２１０を介して相互に通信可能に構成されている。
【０１１１】
看護情報システム２００では、医療従事者は携帯情報端末１００’を様々な機能を有する医療端末として用いることができる。例えば、看護情報サーバ２１０や電子カルテサーバ２２０に蓄積された医療情報を参照したり、患者の画像や診察結果を看護情報サーバ２１０に送信したり、また情報を入力してスタッフ同士の連絡に使用したりすることができる。
【０１１２】
携帯情報端末１００’は、このような場合でも実施例１に示す携帯情報端末１００と同様に使用の目的に応じた形態で使用することができ、医療従事者に使いやすく携帯性の優れた携帯端末を提供することができる。
【図面の簡単な説明】
【０１１３】
【図１】本発明の第１の実施形態に係る携帯情報端末の電話機能を使用する場合の斜視図である。
【図２】本発明の第１の実施形態に係る携帯情報端末を、フリップ部の第１タッチパネルモニターと本体部の第２タッチパネルモニターを内側にして閉じた状態で見た底面図である。
【図３】図２に示す本発明の第１の実施形態に係る携帯情報端末をフリップ部から見た正面図である。
【図４】図２に示す本発明の第１の実施形態に係る携帯情報端末を上部から見た平面図である。
【図５】図２に示す本発明の第１の実施形態に係る携帯情報端末を本体部から見た背面図である。
【図６】本発明の第１の実施形態に係る携帯情報端末のテレビ電話機能、デジタルカメラ機能、デジタルビデオカメラ機能を使用する場合の正面図である。
【図７】本発明の第１の実施形態に係る携帯情報端末をワイド画面のビューア端末として使用する場合に上部から見た平面図である。
【図８】図７に示す本発明の第１の実施形態に係る携帯情報端末の正面図である。
【図９】図７に示す本発明の第１の実施形態に係る携帯情報端末の底面図である。
【図１０】図７に示す本発明の第１の実施形態に係る携帯情報端末の背面図である。
【図１１】本発明の第１の実施形態に係る携帯情報端末のキーボード入力端末機能を使用する場合の斜視図である。
【図１２】本発明の第１の実施形態に係る携帯情報端末のスタンドビューア機能を使用する場合の斜視図である。
【図１３】本発明の第１の実施形態に係る携帯情報端末のペン入力端末機能を使用する場合の正面図である。
【図１４】軸部３０の構成を説明する分解図である。
【図１５】本発明の第１の実施形態に係る携帯情報端末の内部構造を示すブロック図である。
【図１６】本発明の第１の実施形態に係る携帯情報端末の、本体部の軸部と第２タッチパネルモニターとの間に回転軸を備え、さらに本体部の背面に操作キーを備えた場合の正面図である。
【図１７】本発明の第１の実施形態に係る携帯情報端末の、フリップ部の軸部と第１タッチパネルモニターとの間に回転軸を備え、さらにフリップ部の背面にキーボードを備えた場合の正面図である。
【図１８】本発明の第１の実施形態に係る携帯情報端末の斜視図である。
【図１９】本発明の第１の実施形態に係る携帯情報端末での各機能の起動処理を説明するフローチャートである。
【図２０】本発明の第２の実施形態に係る看護情報システムの構成図である。
【符号の説明】
【０１１４】
１００、１００’・・・携帯情報端末、１０…本体部、１１…電源のオン・オフボタン、１２…第２タッチパネルモニター、１３…カーソルボタン、１４…マイクロホン、１５…応答ボタン、１６…メモリカードアダプター、１７…音声入出力用端子、１８…データ入出力兼充電用端子、１９…ファンクションボタン、２０…フリップ部、２１…第１タッチパネルモニター、２２…決定・キャンセルボタン、２３…第２撮影用レンズ、２４…スピーカホン、２５…第１撮影用レンズ、２６…シャッターボタン、３０…軸部、３１…開閉軸、３２…本体部の回転軸、３３…フリップ部の回転軸、３４…開閉軸の心棒、３５…開閉軸の開閉軸カバー、３６…接続フイルム、３７…本体部の接点、３８…接続フイルムと本体部の接点とを接続する接続ケーブル、３９…フリップ部の接点、４０…接続フイルムとフリップ部の接点とを接続する接続ケーブル、４１…制御部、４２…操作部、４３…通信部、４４…記録部、４５…軸部状態センサ、６１…入力用ペン、６２…入力用ペン格納部、６３…フリップ部の軸部と第１タッチパネルモニターとの問にある回転軸、６４…本体部の軸部と第２タッチパネルモニターとの間にある回転軸、６５…本体部の背面にある電話番号等を入力することのできる操作キー、６５’・・・操作キー、６６…フリップ部の背面にある数字およびアルファベット、記号等を入力できるキーボード、２００・・・看護情報システム、２１０・・・看護情報サーバ、２２０・・・電子カルテサーバ、２３０・・・アクセスポイント、２４０・・・クレードル
【図１】
2005115536.tif 000003
【図２】
2005115536.tif 000004
【図３】
2005115536.tif 000005
【図４】
2005115536.tif 000006
【図５】
2005115536.tif 000007
【図６】
2005115536.tif 000008
【図７】
2005115536.tif 000009
【図８】
2005115536.tif 000010
【図９】
2005115536.tif 000011
【図１０】
2005115536.tif 000012
【図１１】
2005115536.tif 000013
【図１２】
2005115536.tif 000014
【図１３】
2005115536.tif 000015
【図１４】
2005115536.tif 000016
【図１５】
2005115536.tif 000017
【図１６】
2005115536.tif 000018
【図１７】
2005115536.tif 000019
【図１８】
2005115536.tif 000020
【図１９】
2005115536.tif 000021
【図２０】
2005115536.tif 000022